(57)【要約】【課題】  熱交換器と接続が容易に行える分流装置を組み込んだ空気調和機を提供する。【解決手段】  分流器装置７は、分流器７１と、複数のキャピラリ管７２と、このキャピラリ管にそれぞれ接続される複数の分流配管７３とから構成され、分流配管７３はそれぞれ熱交換器６と接続する分流配管側接続部７４が下方に向けて設けられ、熱交換器６には分流配管側接続部７４に対応する熱交換器側接続部６２がそれぞれ上方に向けて設けられている。そして、分流配管側接続部７４の長さが熱交換器６の高さ方向上方から下方に向けて順次短くなるように設け、上方に位置する分流配管側接続部７４とこれに対応する熱交換器側接続部６２とが所定の長さ勘合すると、下方に位置する分流配管側接続部７４の開口端とこれに対応する熱交換器側接続部６２の開口端の位置とが揃うようにした。【選択図】      図４
2007192496.tif 000002
【特許請求の範囲】
【請求項１】
複数の冷媒流路を有する熱交換器と、前記複数の冷媒流路に冷媒を分流する分流装置を備えた空気調和装置において、前記分流器装置は、分流器と、複数のキャピラリ管と、このキャピラリ管にそれぞれ接続される複数の分流配管とから構成され、
前記分流配管はそれぞれ前記熱交換器と接続する分流配管側接続部が下方に向けて設けられ、
前記熱交換器には前記分流配管側接続部に対応する熱交換器側接続部がそれぞれ上方に向けて設けられ、
上方に位置する前記分流配管側接続部とこれに対応する前記熱交換器側接続部とが所定の長さ勘合すると、
下方に位置する前記分流配管側接続部の開口端とこれに対応する前記熱交換器側接続部の開口端の位置とが揃い、
前記分流配管側接続部及び前記熱交換器側接続部の長さが前記熱交換器の高さ方向上方から下方に向けて順次短くなるように設けられたことを特徴とする空気調和装置。
【請求項２】
前記熱交換器の高さ方向上方から２本を１組として前記分流配管側接続部の長さを同じにして設けたことを特徴する請求項１に記載の空気調和装置。
【発明の詳細な説明】
【技術分野】
【０００１】
本発明は空気調和装置に係わり、特に冷媒を複数に分流して室外側熱交換器に流す冷凍サイクルを有する空気調和装置に関する。
【背景技術】
【０００２】
一般に空気調和装置の熱交換器の熱交換効率を向上させるために、冷媒を複数に分流して熱交換器に流す冷凍サイクルを有する空気調和装置がある（例えば特許文献１）。
【０００３】
このような空気調和装置は、冷凍サイクルを構成する圧縮機、四方弁、室内側熱交換器、流量調整弁、複数のキャピラリ管からなり冷媒を分流する分流器、この分流器により分流された冷媒が流入する室外側熱交換器を有している。  
この室外側熱交換器は、所定の間隙を存して併設される複数枚の放熱フィンに複数本の熱交換パイプが並行して貫通し、これら熱交換パイプの開口端部は熱交換器の側端部においてＵ字状連結パイプによって接続され、複数の冷媒流路が形成される。
【０００４】
それぞれの冷媒流路に冷媒を分流するために冷媒分流装置が設けられ、これにより冷媒を並列に分岐して流して熱交換器の熱交換率の向上を図っている。
【０００５】
特許文献１には、複数のキャピラリ管が接続される分流器に、キャピラリ管が直管で連結され、キャピラリ管と室外側熱交換器の熱交換パイプの開口端部とが、分流配管を介して連結された空気調和装置が開示されている。
【特許文献１】特開２００４ー２５７５９６号公報
【発明の開示】
【発明が解決しようとする課題】
【０００６】
しかしながら、高さ寸法が長く冷媒流路が多い室外側熱交換器を備えた空気調和装置の場合には、冷媒流路の数に合わせて分流キャピラリおよび分流配管が必要となり、熱交換器の高さ寸法長さに合わせて長い寸法の分流配管が必要となる。分流配管の数が増えその長さが長くなると搬送中や空気調和装置に組み込むときにキャピラリ管が折れやすくなる。そのため、複数の分流配管が予めタイラップ等の結束具で束ねられている。
【０００７】
上記のように高さ寸法が長い室外側熱交換器を備えた空気調和装置の場合、組立て時において、室外側熱交換器を立設した状態で熱交換器と分流器との接合作業が行われるため、分流配管が結束具等で束ねられてしまうと熱交換パイプと分流配管との接続作業が困難になり、作業効率が低下してコストに影響するという問題があった。
【０００８】
本発明は上述した事情を考慮してなされたもので、熱交換器と接続が容易に行える分流装置を組み込んだ空気調和機を提供することを目的とする。
【課題を解決するための手段】
【０００９】
上記目的を達成するため、複数の冷媒流路を有する熱交換器と、前記複数の冷媒流路に冷媒を分流する分流装置を備えた空気調和装置において、前記分流器装置は、分流器と、複数のキャピラリ管と、このキャピラリ管にそれぞれ接続される複数の分流配管とから構成され、前記分流配管はそれぞれ前記熱交換器と接続する分流配管側接続部が下方に向けて設けられ、前記熱交換器には前記分流配管側接続部に対応する熱交換器側接続部がそれぞれ上方に向けて設けられ、上方に位置する前記分流配管側接続部とこれに対応する前記熱交換器側接続部とが所定の長さ勘合すると、下方に位置する前記分流配管側接続部の開口端とこれに対応する前記熱交換器側接続部の開口端の位置とが揃い、前記分流配管側接続部の長さが前記熱交換器の高さ方向上方から下方に向けて順次短くなるように設けた。  また、前記熱交換器の高さ方向上方から２本を１組として前記分流配管側接続部の長さを同じにした。
【発明の効果】
【００１０】
本発明によれば、熱交換器と分流装置の接続が確実かつ容易に行え、組立て作業の効率が向上するという効果を奏する。
【発明を実施するための最良の形態】
【００１１】
以下、本発明に係わる実施の形態について図面を参照して説明する。
【００１２】
図１は本発明に係わる空気調和装置１の概略図、図２は本発明に係わる空気調和装置１の室外側熱交換器６と分流装置７の組立て状態を示す図、図３は本発明に係わる空気調和装置１の室外側熱交換器６と分流装置７の分離した状態を示す図、図４は本発明に係わる空気調和装置１の室外側熱交換器６と分流装置７の接続方法を説明する図である。
【００１３】
図１に示すように、本発明に係わる空気調和装置１は、室外ユニット２および室内ユニット３を備えている。
【００１４】
室外ユニット２は、ガス管サービスバルブ２００Ａおよび液管サービスバルブ２００Ｂを備え、各サービスバルブ２００Ａ、２００Ｂには接続配管であるガス管１００Ａと液管１００Ｂがそれぞれ接続され、このガス管１００Ａおよび液管１００Ｂに室内ユニット３が接続されている。
【００１５】
室外ユニット３は、圧縮機４、四方弁５、室外側熱交換器６、分流装置７、レシーバタンク８、減圧装置９（電動膨張弁１０、１１）、アキュムレータ１３、サブアキュムレータ１４、室外送風機１６を備え、室内ユニット２は、室内側熱交換器１２、室内送風機１７を備え、これら構成部品が順次冷媒配管により接続され、冷凍サイクルが形成されている。
【００１６】
上述した空気調和装置１において、冷房運転時には、四方弁５が実線の位置に切り替えられる。圧縮機４から吐出された高温高圧の冷媒は、四方弁５、室外側熱交換器６、分流装置７、レシーバタンク８を経て、電動膨張弁１０、１１に至り、さらに室内熱交換器１２に至り、ここで蒸発してガス化し、アキュムレータ１３、サブアキュムレータ１４を経て圧縮機４に戻される。
【００１７】
暖房運転時には、四方弁５が破線の位置に切り替えられる。圧縮機４から吐出された高温高圧の冷媒は、四方弁５から室内側熱交換器１２に至り、ここで凝縮して液化し、電動膨張弁１０、１１、レシーバタンク８を経て分流装置７に至り、分流装置７により複数の冷媒流路６０に分流されて室外側熱交換器６を通過した後、四方弁５に至り、さらにアキュムレータ１３、サブアキュムレータ１４を経て圧縮機４に戻される。
【００１８】
図２及び図３に示すように、室外側熱交換器６は、室外ユニット３の底板（図示しない）に立設状態に配置され、端板６ａの間に所定の間隙を存して併設される複数枚の放熱フィン６ｂに複数本の熱交換パイプ６ｃが並行して貫通し、これら熱交換パイプ６ｃの端部は端板６ａにおいてＵ字状連結パイプ６ｄによって接続され、複数の冷媒流路６０が形成される。
【００１９】
本実施の形態においては、例えば１０本の冷媒流路６０ａ〜６０ｊが形成され、冷媒流路６０ａ〜６０ｊの一端がそれぞれ分流装置７に接続され、他端は集合管６ｅに接続される。集合管６ｅは四方弁５に接続される。
【００２０】
分流装置７に接続される冷媒流路６０ａ〜６０ｊの一端は、それぞれ室外側熱交換器６の端板６ａから冷媒パイプ６ｂが突出して設けられ、この突出部にそれぞれＬ字状の接続管６１ａ〜６１ｊの一端が接続される。接続管６１ａ〜６１ｊの他端にはそれぞれ熱交換器側接続部６２a〜６２ｊが設けられ、後述する分流装置７の分流配管７３ａ〜７３ｊが接続される。熱交換器側接続部６２の開口端はそれぞれ略垂直方向上向きとなるように配置される。
【００２１】
図２及び図３に示すように、分流装置７は、冷媒を分流する金属製、例えば銅製で円筒密閉構造の分流器７１と、この分流器７１の下部設けられる冷媒入口管７０と、分流器７１の上部に接続され、上述した冷媒流路６０ａ〜６０ｊと同数の分流キャピラリ管７２と、これら分流キャピラリ管７２に接続される分流配管７３ａ〜７３ｊとから構成されている。分流キャピラリ管７２及び分流配管７３ａ〜７３ｊは結束具７５で束ねられている。
【００２２】
また、冷媒入口管７０はレシーバタンク８から延びる冷媒配管に接続され、分流配管７３ａ〜７３ｊはそれぞれ上述した室外側熱交換器６の接続管６１ａ〜６１ｊに接続される。
【００２３】
分流配管７３ａ〜７３ｊの先端部分には分流配管側接続部７４ａ〜７４ｊが設けられ、上述した室外側熱交換器６の接続管６１ａ〜６１ｆに設けられた熱交換器側接続部６２ａ〜６２ｊに接続される。分流配管側接続部７４ａ〜７４ｊはそれぞれ開口端が略垂直方向下向きに設けられている。
【００２４】
この分流管側接続部７４ａ〜７４ｊと熱交換器側接続管６２ａ〜６２ｊとをそれぞれ勘合することにより分流装置７と室外側熱交換器６との接続がなされる。
【００２５】
ここで、分流配管側接続部７４ａ〜７４ｊの長さが、室外側熱交換器６の高さ方向上側から２本を１組として、１組毎に５ｍｍずつ順次短くなるように形成されている。言い換えれば接続部７４の長さが上から５段階に５ｍｍずつ短くなっている。また分流配管接続部７４の長さに合わせて熱交換器側接続部６２の長さも短くなっている。
【００２６】
図４に示すように、最上段側の分流配管側接続部７４ａ、７４ｂとこれら対応する熱交換器側接続部６２ａ、６２ｂとがそれぞれ５ｍｍ勘合すると、１組下の冷媒配管接続部７４ｃ、７４ｄの開口端とこれらに対応する熱交換器側接続部６２ｃ、６２ｄの開口端の位置が揃い、開口端どうしの距離が略０ｍｍとなる。
【００２７】
次に分流管側接続部７４ｃ、７４ｄとこれらに対応する熱交換器側接続部６２ｃ、６２ｄとが５ｍｍ勘合すると、１組下の分流配管側接続部７４ｅ、７４ｆの開口端とこれらに対応する熱交換器側接続部６２ｅ、６２ｆの開口端の位置が揃い、開口端どうしの距離が略０ｍｍとなる。
【００２８】
このように一組上の分流管側接続部７４と熱交換器側接続部６２とが５ｍｍ勘合すると、次の分流配管側接続部７４の開口端と熱交換器側接続部６２の開口端の位置が揃い、開口端どうしの距離が略０ｍｍとなるように分流配管側接続部７４と熱交換器側接続部６２の長さが設定されている。
【００２９】
最下段側の分流配管側接続部７４ｉ、７４ｊとこれら対応する熱交換器側接続部６２ｉ、６２ｊとがそれぞれ５ｍｍ勘合すると、最上段側の分流配管側接続部７４ｉ、７４ｊとこれら対応する熱交換器側接続部６２ｉ、６２ｊとは２５ｍｍ勘合されることになる。
【００３０】
最終的に全ての分流配管側接続部と熱交換器側接続部６２とが勘合された後、勘合部分がロウ付により固定される。同様に冷媒入口管７０とこれに接続される冷媒配管とがロウ付により固定される。
【００３１】
上述した構成によれば、空気調和装置の組立て時、室外側熱交換器６の高さ方向上側から順に分流配管側接続部７４と熱交換器側接続部６２とを勘合することにより、次に勘合する分流配管側接続部７４と熱交換器側接続部６２との位置決めが行われるので、部分流配管７３ａ〜７３ｊが結束具７５で束ねられていてもスムーズに分流装置７と室外側熱交換器６との接続が行え、作業効率が向上する。よって、作業効率悪化によるコストの上昇を防ぐことができる。
【００３２】
また、分流配管側接続部７４ａ〜７４ｊの長さを室外側熱交換器６の高さ方向上側から２本を１組として、１組毎に５ｍｍずつ順次短くなるように形成したので、両手での接続作業が可能となり、さらに作業効率が向上する。
【００３３】
また、分流管側接続部７４ａ〜７４ｊと熱交換器側接続部６２ａ〜ｊを上下方向に勘合させているので、水平方向に勘合した場合に比べてロウが均等に勘合部に行き渡るので、確実にロウ付が行え、ロウ付不良による冷媒の漏れが低減し、信頼性を向上させることができる。
【００３４】
以上、一実施形態に基づいて本発明を説明したが、本発明は、これに限定されるものではない。
【００３５】
例えば、以上の説明では、冷媒流路６０の個数を１０個としたが、これより多くても少なくてもよく、室外側熱交換器６に接続される分流装置７について説明したが、室内側熱交換器１２に接続される分流装置でもよく、これに限られるものではない。
【図面の簡単な説明】
【００３６】
【図１】本発明の実施の形態に係わる空気調和装置の概略図である。
【図２】本発明の実施の形態に係わる空気調和装置の室外側熱交換器と分流装置の組立て状態を示す図である。
【図３】本発明の実施の形態に係わる空気調和装置の室外側熱交換器と分流装置の分離した状態を示す図である。
【図４】本発明の実施の形態に係わる空気調和装置の室外側熱交換器と分流装置の接続方法を示す図である。
【符号の説明】
【００３７】
１…空気調和装置、２…室外ユニット、３…室内ユニット、４…圧縮機、５…四方弁、６…室外側熱交換器、７…分流装置、８…レシーバタンク、６０ａ〜６０ｊ…冷媒流路、６１ａ〜６１ｊ…接続管、６２ａ〜６２ｊ…熱交換器側接続部、７０…冷媒入口管、７１…分流器、７２…分流キャピラリ管、７３ａ〜７３ｊ…分流配管、７４ａ〜７４ｊ…分流配管側接続部
【図１】
2007192496.tif 000003
【図２】
2007192496.tif 000004
【図３】
2007192496.tif 000005
【図４】
2007192496.tif 000006